(57)【要約】【課題】  輸液ポンプにおいて、気泡検出のための検出センサの配置上の制約をなくすとともに、検出誤差を低減させることを目的とする。【解決手段】  輸液ポンプに固定される輸液用チューブ１００であって、クランプ部３２０と固定部材３１０とを備え、クランプ部３２０と固定部材３１０は、クランプ保持部と固定部材保持部との間の距離と略等しくなるように配されており、固定部材３１０は、固定部材保持部に保持された状態で、気泡検出センサの検出位置と、輸液用チューブ１００の中心位置とが略等しくなるように、輸液用チューブ１００を保持していることを特徴とする。【選択図】  図６
2011206210.tif 000002
【特許請求の範囲】
【請求項１】
輸液ポンプに固定される輸液用チューブであって、
前記輸液用チューブを保持するとともに、該輸液用チューブを圧閉する機構を有するクランプ部と、
前記クランプ部とは異なる位置において、前記輸液用チューブを保持する固定部材と、を備え、
前記クランプ部と前記固定部材との間の距離は、
前記クランプ部が装着されることで該クランプ部を保持するとともに、前記輸液用チューブを圧閉するための押圧力を該クランプ部に対して付加するクランプ保持部と、前記固定部材が装着されることで該固定部材を保持するとともに、前記輸液用チューブ内の気泡を検出するための検出部が配された固定部材保持部との間の距離と略等しくなるように構成されており、
前記固定部材は、
前記固定部材保持部に装着された状態で、前記検出部の検出位置と、前記輸液用チューブの中心位置とが略等しくなるように前記輸液用チューブを保持していることを特徴とする輸液用チューブ。
【請求項２】
前記輸液ポンプは蠕動式の輸液ポンプであり、前記輸液用チューブを押圧するためのフィンガは、前記クランプ保持部と前記固定部材保持部との間に配列されていることを特徴とする請求項１に記載の輸液用チューブ。
【請求項３】
前記固定部材保持部は、
前記固定部材が装着される側が開口し、かつ、前記固定部材が装着された際の前記輸液用チューブの送液方向に側壁部が形成されたコの字形状を有しており、かつ、該側壁部には前記検出部が配されており、
前記固定部材は、
前記固定部材保持部に装着する側が開口し、前記輸液用チューブの送液方向に側壁部が形成されたコの字形状を有しており、
前記固定部材保持部の側壁部の外壁面に沿って、前記固定部材の側壁部の内壁面が摺動し、該固定部材保持部の側壁部の上面が、前記固定部材の底部に当接することで、前記固定部材が前記固定部材保持部に保持された場合に、該上面から前記検出部までの距離と、該底部から前記輸液用チューブの中心位置までの距離とが略等しくなるように、前記固定部材では、該底部から所定の距離だけ離れた位置において、前記輸液用チューブを保持していることを特徴とする請求項１または２に記載の輸液用チューブ。
【請求項４】
請求項１乃至３のいずれか１項に記載の輸液用チューブが固定される輸液ポンプであって、
前記クランプ保持部と前記固定部材保持部とを備えることを特徴とする輸液ポンプ。
【発明の詳細な説明】
【技術分野】
【０００１】
本発明は、輸液用チューブ及び輸液ポンプに関するものである。
【背景技術】
【０００２】
従来より、輸液バッグが接続された輸液用チューブを複数のフィンガにより順次押圧することで輸液を行う蠕動式輸液ポンプ（以下、単に輸液ポンプと称す）が知られている。
【０００３】
一般に、輸液ポンプは、各種操作部及び表示部が配された開閉可能なドア部と、輸液用チューブを順次押圧するためのフィンガが送液方向に複数配列された本体部とを備えており、ドア部を開いた状態で、輸液用チューブセット（以下、単に輸液用チューブという）のチューブ部分を本体部にセットした後に、ドア部を閉じることで、当該チューブ部分が輸液ポンプに固定される構成となっている（例えば、下記特許文献１参照）。
【０００４】
具体的には、ドア部を開いた状態で、輸液用チューブに配されたクランプ（ドア部が開状態となった場合に、輸液用チューブを圧閉する機構）を輸液ポンプの本体部下側に嵌合させることで、輸液用チューブの一方を輸液ポンプに保持させるとともに、輸液用チューブの上側の部分（クランプが配された位置よりも送液方向上流側の部分）を本体部上側の溝部に一時的に保持させることで、輸液用チューブをセットする。その後、ドア部を閉じ、ドア部の裏面に配された固定具によって、輸液用チューブを溝部に押しあてることで、輸液用チューブは輸液ポンプに固定されることとなる。
【先行技術文献】
【特許文献】
【０００５】
【特許文献１】特開２００２−５８７３８号公報
【発明の概要】
【発明が解決しようとする課題】
【０００６】
しかしながら、本体部の溝部には、通常、輸液用チューブ内の気泡を検出するための検出センサが配されており、上記輸液ポンプのように、ドア部の固定具を用いて輸液用チューブを溝部に押し込む構成の場合、輸液用チューブの形状や材質によっては、輸液用チューブが溝部内に正しく収まらず、気泡検出に際して誤差が生じる可能性がある。
【０００７】
また、上記輸液ポンプのように、溝部に輸液用チューブを押し込むために、ドア部の裏面に固定具を配した構成の場合、輸液用チューブを溝部に対して垂直に押し込むことができるように、固定具の回転半径（ドア部の回転中心から固定具までの距離）をある程度大きくしておく必要がある。このため、ドア部の回転中心（ヒンジ機構）から検出センサまでの距離が規定され、検出センサの配置上の制約が生じることとなる。
【０００８】
本発明は上記課題に鑑みてなされたものであり、輸液ポンプにおいて、気泡検出のための検出センサの配置上の制約をなくすとともに、検出誤差を低減させることを目的とする。
【課題を解決するための手段】
【０００９】
上記の目的を達成するために、本発明に係る輸液用チューブは以下のような構成を備える。即ち、
輸液ポンプに固定される輸液用チューブであって、
前記輸液用チューブを保持するとともに、該輸液用チューブを圧閉する機構を有するクランプ部と、
前記クランプ部とは異なる位置において、前記輸液用チューブを保持する固定部材と、を備え、
前記クランプ部と前記固定部材との間の距離は、
前記クランプ部が装着されることで該クランプ部を保持するとともに、前記輸液用チューブを圧閉するための押圧力を該クランプ部に対して付加するクランプ保持部と、前記固定部材が装着されることで該固定部材を保持するとともに、前記輸液用チューブ内の気泡を検出するための検出部が配された固定部材保持部との間の距離と、略等しくなるように構成されており、
前記固定部材は、
前記固定部材保持部に装着された状態で、前記検出部の検出位置と、前記輸液用チューブの中心位置とが略等しくなるように前記輸液用チューブを保持していることを特徴とする。
【発明の効果】
【００１０】
本発明によれば、輸液ポンプにおいて、気泡検出のための検出センサの配置上の制約をなくすとともに、検出誤差を低減させることが可能となる。
【図面の簡単な説明】
【００１１】
【図１】本発明の一実施形態に係る輸液用チューブ１００が固定される輸液ポンプ１１０の外観構成の一例を示す図である。
【図２】輸液ポンプ１１０のドア部を開いた状態を示す図である。
【図３】本発明の一実施形態に係る輸液用チューブ１００の外観構成を示す図である。
【図４】輸液用チューブ１００の固定部材の外観構成を示す図である。
【図５】輸液用チューブ１００の固定部材を本体部の溝部に嵌合させた場合の位置関係を示す図である。
【図６】輸液用チューブ１００を輸液ポンプ１１０の本体部に固定した様子を示す図である。
【発明を実施するための形態】
【００１２】
以下、本発明の各実施形態について図面を参照しながら説明する。
【００１３】
［第１の実施形態］
１．輸液ポンプの外観構成
図１は、本発明の一実施形態に係る輸液用チューブ１００が固定される輸液ポンプ１１０の外観構成の一例を示す図である。
【００１４】
図１に示すように、輸液用チューブ１００の送液方向上流側には、所定の薬液が収容された輸液バッグ１０１が接続され、また、送液方向下流側には、クレンメ（クランプ部材）１０２及び静脈刺針１０３が接続されている。そして、当該静脈刺針１０３が患者の静脈に刺針され、留置されることで、輸液バッグ１０１内の薬液が患者へと注入される。
【００１５】
輸液ポンプ１１０は、不図示の本体部に開閉可能に取り付けられたドア部１２０を備え、ドア部１２０の表面には、各種情報が表示される表示部１３０と、操作スイッチ類が配列された操作部１４０と、ドアロックレバー１５０とが配されており、更に本体部の上面には動作インジケータ１６０が配されている。
【００１６】
表示部１３０には、単位時間あたりの流量（送液速度）の設定値と実績値とが切り替えて表示される流量表示部１３１と、予定流量と積算流量とが切り替えて表示される予定量積算量表示部１３２と、各種アラーム情報が表示されるアラーム表示部１３３と、輸液用チューブ１００の閉塞圧力の設定レベルが「Ｌ」、「Ｍ」、「Ｈ」で表示される閉塞圧設定表示部１３４とが配されている。
【００１７】
なお、アラーム表示部１３３には、更に、後述する気泡検出センサ（検出部）が、輸液用チューブ１００内の気泡を検出した場合に点灯する気泡検出表示部１３５と、輸液ポンプ１１０の内蔵バッテリの電圧が低下した場合に点灯するバッテリ電圧低下表示部１３６とが配されている。更に、輸液用チューブ１００の閉塞圧力が設定レベルに到達した場合に点灯する閉塞異常表示部１３７と、ドア部１２０が開状態になった場合に点灯するドア開状態表示部１３８と、輸液が完了した場合に点灯する完了表示部１３９とが配されている。
【００１８】
一方、操作部１４０には、送液速度や予定流量を設定するためのアップダウンスイッチ１４１と、押圧されている間、設定された送液速度（ｍＬ／ｈ）よりも高い送液速度での送液が可能となる早送りスイッチ１４２とが配されている。
【００１９】
また、押圧されることで、輸液が開始される開始スイッチ１４４と、押圧されることで輸液が強制停止される停止スイッチ１４３と、本体部２００の電源のＯＮ／ＯＦＦを指示するための電源スイッチ１４５とが配されている。
【００２０】
なお、電源スイッチ１４５には、隣接して、商用電源または直流電源を使用する場合に点灯する電源ランプ１４６と、内蔵バッテリを充電中に点灯するとともに、内蔵バッテリの残量を表示するバッテリランプ１４７とが配されている。
【００２１】
また、本体部の上面に配された動作インジケータ１６０は、輸液ポンプ１１０の送液状態を報知する機能を備えており、送液中は緑色に回転点灯する一方、異常により送液が停止した場合には、赤色に点灯または点滅する。
【００２２】
２．ドア部裏面及び本体部の構成
次に、輸液ポンプ１１０のドア部１２０裏面側の構成及び本体部２００の構成について説明する。
【００２３】
図２は、ドア部１２０が開状態である輸液ポンプ１１０の外観構成を示す図である。図２において、２０１はドアベースであり、ヒンジ部２０２を介して本体部２００の本体ベース２１１に回動可能に接続されている。これにより、ドア部１２０が本体部２００に対して開閉自在となる。
【００２４】
２０３はドアシールゴムであり、エラストマーにより形成され、ドア部１２０の閉状態において、本体部２００の内部に薬液が浸入するのを防止する。
【００２５】
２０４はバッファプレート機構であり、ドア部１２０の閉状態で、後述するフィンガによって輸液用チューブ１００が押圧された場合に、該輸液用チューブ１００の背面を支持する。２０５は閉塞押え板であり、ドア部１２０の閉状態で、後述する閉塞センサとの間で輸液用チューブ１００を挟持する。
【００２６】
本体部２００において、２１２は溝部であり、該溝部２１２を形成する側壁部には、輸液用チューブ内の気泡を検出する気泡検出センサ（不図示）が配されている。なお、溝部２１２の詳細構成は後述するものとする。
【００２７】
２１３はポンプ機構であり、輸液用チューブ１００を順次押圧し、圧閉するフィンガ２１４−１〜２１４−５が送液方向に複数配列されている。
【００２８】
２１５は閉塞センサであり、永久磁石と、該永久磁石の移動量をアナログ的に検出するためのピックアップとから構成されている。閉塞センサ２１５では、輸液用チューブ１００の閉塞状態に伴う内圧変化に応じて移動した永久磁石の移動量を検出することで、閉塞状態を検出している。
【００２９】
２１６はチューブクランプ保持部であり、輸液用チューブ１００に取り付けられたクランプを保持するとともに、ドア部１２０が開状態となった場合に、当該クランプに対して、輸液用チューブを一時的に圧閉するための押圧力を付加する。
【００３０】
２１７は解除レバーであり、当該解除レバー２１７が操作されることで、チューブクランプ保持部２１６によるクランプに対する押圧力の付加が解除（つまり、クランプによる輸液用チューブの圧閉が解除）される。
【００３１】
２１８は規定部であり、輸液用チューブ１００が本体部２００に固定された際に、輸液用チューブの幅方向の位置を規定する。２１９は、輸液ポンプ１１０を持ち運ぶ際にユーザが把持するためのハンドルである。
【００３２】
３．輸液用チューブの構成
次に、輸液用チューブ１００の構成について図３を用いて説明する。上述したように、輸液用チューブ１００の送液方向上流側には、接続具（不図示）を介して、輸液剤が収容された輸液バッグ１０１が接続され、送液方向下流側には、クレンメ１０２及び静脈刺針１０３が接続されている。更に、図３に示すように、輸液バッグ１０１とクレンメ１０２との間の領域であって、輸液ポンプ１１０の本体部２００に固定される領域には、固定部材３１０とクランプ３２０とが取り付けられている。
【００３３】
固定部材３１０は、輸液用チューブ１００が輸液ポンプ１１０の本体部２００に固定された場合に、フィンガ２１４−１〜２１４−５によって押圧される領域のチューブ（復元力が高いチューブ）と送液方向上流側のチューブとを接続し、保持する機能を有するとともに（固定部材保持部として機能するとともに）、本体部２００の溝部２１２に嵌合されることで、該溝部２１２に配された気泡検出センサとの間の位置関係を適切に規定する機能を有する。
【００３４】
クランプ３２０は、輸液用チューブ１００のうち、輸液ポンプ１１０の本体部２００に嵌合された場合に、フィンガ２１４−１〜２１４−５によって押圧される領域のチューブ（復元力が高いチューブ）と送液方向下流側のチューブとを接続し、保持する機能を有するとともに、上述したように、ドア部１２０が開状態の場合に、チューブクランプ保持部２１６によって押圧されることで、輸液用チューブ１００を圧閉する機能を有する。
【００３５】
なお、固定部材３１０とクランプ３２０とは、両者の距離が予め定められた距離になるよう構成されている。具体的には、固定部材３１０が本体部２００の溝部２１２に嵌合され、クランプ３２０がチューブクランプ保持部２１６に嵌合された場合に、フィンガ２１４−１〜２１４−５によって押圧される領域のチューブが直線形状を維持できるように構成されている（つまり、固定部材３１０とクランプ３２０との間の距離は、本体部２００の溝部２１２とチューブクランプ保持部２１６との間の距離に略等しくなるように位置決めされ、輸液用チューブの誤装着の防止や輸液用チューブを蛇行してセットすることを防止するように構成されている）。なお、このクランプ３２０は、必ずしも、輸液用チューブ１００を本体部２００から取り外した時に輸液用チューブ１００を自動的にクランプする、いわゆるフリーフロー防止機能を有している必要はない。
【００３６】
４．輸液用チューブの固定部材の詳細構成
次に、図４を用いて輸液用チューブ１００の固定部材３１０の詳細構成について説明する。図４（Ａ）は、固定部材３１０を送液方向下流側からみた場合の斜視図であり、図４（Ｂ）は、固定部材３１０を送液方向上流側からみた場合の斜視図である。
【００３７】
図４（Ａ）に示すように、固定部材３１０は、輸液ポンプ１１０の本体部２００に固定する際の固定方向に開口したコの字形状を有しており、側壁部４０１と側壁部４０２と上底部４０３とを備える。
【００３８】
上底部４０３の中央部には、凸部４０４が送液方向上流側端部から下流側端部までの全長にわたって設けられている。また、凸部４０４の下面位置４１１は、上底部４０３の下面位置４１０に略平行となるように構成されている。これにより、固定部材３１０によって保持される輸液用チューブ１００は、固定部材３１０の全長にわたって、上底部４０３の下面位置４１０から一定の距離に保持されることとなる。
【００３９】
図４（Ｂ）に示すように、固定部材３１０の送液方向上流側には、輸液用チューブ１００を保持するための保持部材４２０が設けられており、保持部材４２０の中央部の貫通穴４２１により輸液用チューブ１００が保持される構成となっている。
【００４０】
５．輸液用チューブの固定部材と溝部との関係
次に、輸液用チューブ１００の固定部材３１０と輸液ポンプ１１０の溝部２１２との位置関係について図５を用いて説明する。図５は、輸液用チューブ１００の固定部材３１０を輸液ポンプ１１０の溝部２１２に嵌合させた様子を、送液方向下流側から見た場合の模式図である。
【００４１】
図５（Ａ）に示すように、固定部材３１０の側壁部４０１と側壁部４０２の内壁面の間隔は、溝部２１２の側壁部５０１と側壁部５０２の外壁面（５０１’、５０２’）の間隔と略等しくなるように構成されており、固定部材３１０の側壁部４０１、４０２の内壁面を、溝部２１２の側壁部５０１、５０２の外壁面（５０１’、５０２’）に摺動させながら、固定部材３１０を固定方向に移動させることで、固定部材３１０の上底部４０３の下面が、溝部２１２の側壁部５０１、５０２の上面に当接する。これにより、固定部材３１０は、溝部２１２に挿入または装着（好ましくは嵌合）され、保持されることとなる。
【００４２】
また、図５（Ｂ）に示すように、溝部２１２の下底部には、凸部５０３が設けられており、固定部材３１０が溝部２１２に嵌合された場合に、輸液用チューブ１００を支持する。また、溝部２１２の側壁部５０２には、側壁部５０２の上面から距離ｈの位置に、輸液用チューブ１００内に混入した気泡のうち所定長さ以上の気泡を検出する、気泡検出センサ５１０が配されている。なお、気泡検出センサ５１０には、好ましくは超音波を用いた気泡検出センサが用いられるものとする。センサを小型化することができ、構造が簡単で、輸液ポンプ１１０への実装が容易だからである。
【００４３】
固定部材３１０が溝部２１２に嵌合された状態では、輸液用チューブ１００の断面方向の中心位置が、気泡検出センサ５１０の検出位置と略一致することとなる。つまり、固定部材３１０の上底部の下面位置４１０から凸部４０４の下面位置４１１までの距離と、輸液用チューブ１００の外径の１／２とを足し合わせた長さと、側壁部５０２の上面から気泡検出センサ５１０までの距離ｈとが略等しくなるように構成されている。
【００４４】
このように、輸液用チューブ１００を固定部材３１０に固定する構成とすることで、固定部材３１０を溝部２１２に嵌合させた際に、輸液用チューブ１００を溝部２１２に対して押圧させる必要がなくなり、輸液用チューブ１００が溝部に正しく収まらないといった事態もなくなる。更に、輸液用チューブ１００の断面方向の中心位置が、常に、気泡検出センサ５１０の検出方向と位置とがほぼ一致することとなるとともに、輸液用チューブ１００と側壁部内面５０２ａ、５０２ｂが確実に密着する。この結果、気泡検出センサ５１０に超音波センサを用いた場合にあっては、気泡検出の誤差を低減させることが可能となる。
【００４５】
加えて、ドア部１２０に固定具を設ける必要がなくなるため、気泡検出センサ５１０を配置する際に、ドア部１２０の回転中心から気泡検出センサ５１０までの距離が制約されることもなくなる。
【００４６】
６．実施例
図６は、輸液用チューブ１００を輸液ポンプ１１０の本体部２００に固定した様子を示す図である。図６に示すように、固定部材３１０が溝部２１２に、クランプ３２０がチューブクランプ保持部２１６にそれぞれ嵌合されることで、輸液用チューブ１００が輸液ポンプ１１０の本体部に固定されることとなる。
【００４７】
上述したように、輸液用チューブ１００の固定部材３１０とクランプ３２０との間の距離は、本体部２００の溝部２１２とチューブクランプ保持部２１６との間の距離と略等しくなるように構成されているため、図６に示すように、輸液用チューブ１００が輸液ポンプ１１０の本体部２００に固定された状態では、フィンガ２１４−１〜２１４−５によって押圧される領域のチューブが直線形状を有することとなる。
【００４８】
以上の説明から明らかなように、本実施形態では、固定部材とクランプとを備える輸液用チューブにおいて、当該固定部材とクランプとの間の距離を、本体部の溝部とチューブクランプ保持部との間の距離に略等しくなるように構成した。更に、当該固定部材を溝部に嵌合させた際に、輸液用チューブの中心位置が気泡検出センサの検出位置と略一致するように、輸液用チューブを保持する構成とした。
【００４９】
この結果、輸液ポンプにおいて、気泡検出のための検出センサの配置上の制約がなくなるとともに、検出誤差を低減させることが可能となった。
【符号の説明】
【００５０】
１００：輸液用チューブ、１２０：ドア部、１３０：表示部、１４０：操作部、１５０：動作インジケータ、２１２：溝部、２１３：ポンプ機構、２１４−１〜２１４−５：フィンガ、２１５：閉塞センサ、２１６：チューブクランプ保持部、２１７：解除レバー、３１０：固定部材、３２０：クランプ、４０１：側壁部、４０２：側壁部、４０３：上底部、４０４：凸部、４１０：下面位置、４１１：下面位置、４２０：保持部材、４２１：貫通穴、５０１：側壁部、５０２：側壁部、５０３：凸部、５１０：気泡検出センサ
【図１】
2011206210.tif 000003
【図２】
2011206210.tif 000004
【図３】
2011206210.tif 000005
【図４】
2011206210.tif 000006
【図５】
2011206210.tif 000007
【図６】
2011206210.tif 000008